(57)【特許請求の範囲】
【請求項１】
Ｌアングルの一方の片の外面に当接した箱体の取付面と、
該取付面の端部に突設され，前記Ｌアングルの他方の片の外面に当接した係止突部と、
前記取付面に透設されたボルト挿通孔と、
細長い主板と，該主板の両側縁に折曲して形成された側板とからなる断面コ字形の挟み込み金具と、
前記一方の片の内面に当接した前記金具の先端の挟み込み部と、
前記両側板のほぼ中程に形成され，前記一方の片の端縁に当接する係止段部と、
前記取付面に当接した前記両側板の後部の当接部と、
前記係止段部の後方の前記主板に透設されたボルト挿通孔と、
前記両挿通孔に挿通され，ナットにより締着されたボルトと
を備えた箱体取付装置。
【発明の詳細な説明】
【０００１】
【発明の属する技術分野】
本発明は、例えば既設の電力用開閉器等に、付帯設備を収納した箱体を取り付けるのに適した箱体取付装置に関する。
【０００２】
【従来の技術】
一般に、電力用開閉器等は、装置の寿命が長く、１台の遮断器を２０〜３０年程度にわたって使用するものがあり、そのような長期にわたり使用される機器は、時間の経過と共に、技術の進歩や時代背景により、付帯設備の追加を余儀なくされる。
【０００３】
このように、既設の装置に新型の付帯設備を取り付ける場合、付帯設備の保護や収納を目的とした箱体が用いられる。
【０００４】
ところで、この箱体が大形であれば自立盤にできるが、小形であれば自立盤にするには、費用，設置場所的に不向きである。
【０００５】
そこで、従来は、切断平面図の図４ないし図６に示す取付手段が用いられている。それらの図において、１は制御機器等の付帯設備を収納した箱体、２は既設開閉器の架台のポール、３は同じく架台のＬアングルである。
【０００６】
そして、図４及び図５は、ポール２への取り付けであり、図４は、締め付けバンド４を備えた取付板５の両端部を箱体１にねじ止めし、バンド４をポール２に巻き、バンド４を締めて取り付けている。
【０００７】
また図５は、断面逆Ｕ字状の取付金具６をポール２に当てがい、金具６の両端部を箱体１に締着して取り付けている。
【０００８】
つぎに図６は、Ｌアングル３への取り付けであり、Ｌアングル３の一片７にボルトの挿通孔をあけ、その挿通孔及び箱体１の挿通孔にボルトを通し、ナットにより締着している。
【０００９】
【発明が解決しようとする課題】
ところで、既設開閉器の架台は、Ｌアングルで構成される場合が多く、従来の取付手段の場合、Ｌアングル３にボルトの挿通孔を形成するため、耐震強度の低下等が懸念され、かつ、既設のＬアングル３にボルトの挿通孔をあける加工が困難であるという問題点がある。
【００１０】
本発明は、前記の点に留意し、既設機器の架台のＬアングルに、Ｌアングルに加工を施すことなく、付加設備を収納した箱体を、強固に取り付けることのできる箱体取付装置を提供することを目的とする。
【００１１】
【課題を解決するための手段】
前記課題を解決するために、本発明の箱体取付装置は、Ｌアングルの一方の片の外面に当接した箱体の取付面と、
該取付面の端部に突設され，前記Ｌアングルの他方の片の外面に当接した係止突部と、
前記取付面に透設されたボルト挿通孔と、
細長い主板と，該主板の両側縁に折曲して形成された側板とからなる断面コ字形の挟み込み金具と、
前記一方の片の内面に当接した前記金具の先端の挟み込み部と、
前記両側板のほぼ中程に形成され，前記一方の片の端縁に当接する係止段部と、
前記取付面に当接した前記両側板の後部の当接部と、
前記係止段部の後方の前記主板に透設されたボルト挿通孔と、
前記両挿通孔に挿通され，ナットにより締着されたボルトと
を備えたものである。
【００１２】
従って、本発明の箱体取付装置によると、箱体の取付面がＬアングルの一方の片の外面に当接し、取付面の端部の係止突部がＬアングルの他方の片の外面に当接し、断面コ字形の挟み込み金具の先端の挟み込み部が、Ｌアングルの一方の片の内面に当接し、挟み込み金具の係止段部が、Ｌアングルの一方の片の端縁に当接し、金具の挿通孔に挿通されたボルトにより締着されているため、Ｌアングルに対して箱体の左右方向及び前後方向のずれが防止され、かつ、Ｌアングルの片の厚みや長さが異なる場合でも充分に対応して取り付けることができる。
【００１３】
【発明の実施の形態】
本発明の実施の１形態を、切断平面図の図１，図１の一部の右側面図の図２及び図１の挟み込み金具の平面図の図３を参照して説明する。
【００１４】
それらの図において、８は制御機器等の付帯設備を収納した箱体１の取付面であり、既設開閉器等の架台のＬアングル３の一方の片９の外面に当接している。１０は取付面８の端部に突設された係止突部であり、Ｌアングル３の他方の片１１の外面に当接している。
【００１５】
１２は断面コ字形の長寸の挟み込み金具であり、細長い主板１３と、主板１３の両側縁に折曲して形成された側板１４とからなり、折曲長さは、両側板１４の先端側が短く、後部側が長く、かつ、若干円弧状になっている。
【００１６】
１５は金具１２の先端の挟み込み部であり、Ｌアングル３の一方の片９の内面に当接している。１６は両側板１４のほぼ中程に形成された係止段部であり、Ｌアングル３の一方の片９の端縁に当接する位置ないしは当接した位置に位置している。
【００１７】
１７は両側板１４の後部の当接部であり、取付面８に当接している。１８は主板１３の係止段部１６の若干後部に透設されたボルト挿通孔、１９は取付面８に透設されたボルト挿通孔であり、Ｌアングル３の一方の片９が当接した位置のごく近くに形成されている。２０は両挿通孔１８，１９に挿通されたボルトであり、箱体１内のナットに螺合し、金具１２を箱体１に強固に取り付けている。
【００１８】
そして、図１において、係止突部１０により箱体１の右方向のずれが規制され、係止段部１６により箱体１の左方向へのずれが規制され、挟み込み金具１２の挟み込み部１５により取付面８とともに、Ｌアングル３の一方の片９を挟み込んだ形になり、箱体１がＬアングル３に強固に取り付けられる。
【００１９】
また、挟み込み金具１２の後部が取付面８に当接し、先端の挟み込み部１５がＬアングル３の内面に当接し、金具１２のほぼ中間をボルト締めするため、Ｌアングル３の片９の厚みの変化に対応できる。
【００２０】
さらに、Ｌアングル３の片９の長さの変化に対しては、箱体１のボルト挿通孔の位置を変えるが、長孔にすればよい。
【００２１】
また、挟み込み金具１２の使用個数は、図示の２個に限定されるものでないことは当然である。
【００２２】
【発明の効果】
本発明は、以上説明したように構成されているため、つぎに記載する効果を奏する。
本発明の箱体取付装置は、箱体１の取付面８がＬアングル３の一方の片９の外面に当接し、取付面８の端部の係止突部１０がＬアングル３の他方の片１１の外面に当接し、断面コ字形の挟み込み金具１２の先端の挟み込み部１５が、Ｌアングル３の一方の片９の内面に当接し、挟み込み金具１２の係止段部１６が、Ｌアングル３の一方の片９の端縁に当接し、金具１２の挿通孔１８に挿通されたボルト２０により締着されているため、Ｌアングル３に対して箱体１の左右方向及び前後方向のずれが防止され、かつ、Ｌアングル３の片の厚みや長さが異なる場合でも充分に対応して取り付けることができ、さらに、金具１２が断面コ字形であるため、強度がきわめて大である。
【図面の簡単な説明】
【図１】本発明の実施の１形態の切断平面図である。
【図２】図１の一部の右側面図である。
【図３】図１の挟み込み金具の平面図である。
【図４】従来例の切断平面図である。
【図５】他の従来例の切断平面図である。
【図６】さらに他の従来例の切断平面図である。
【符号の説明】
１  箱体
３  Ｌアングル
８  取付面
９  一方の片
１０  係止突部
１１  他方の片
１２  挟み込み金具
１３  主板
１４  側板
１５  挟み込み部
１６  係止段部
１７  当接部
１８  ボルト挿通孔
１９  ボルト挿通孔
２０  ボルト
【図１】
0003796801.tif 000002
【図２】
0003796801.tif 000003
【図３】
0003796801.tif 000004
【図４】
0003796801.tif 000005
【図５】
0003796801.tif 000006
【図６】
0003796801.tif 000007